(57)【要約】      （修正有）【課題】巻回物の段落ちを抑制するための新規な技術を提供する。【解決手段】巻回物の段落ち防止部材３００は、ドラム１００に可撓性長尺物２００を螺旋状に多段に巻回して多段の巻回物２１０を形成する際に、巻回物の多段に巻回される段のうちのある第１の段と、第１の段の直上の第２の段との間に挿入され、上面に、第２の段に巻回される可撓性長尺物の延在方向に沿って延在しドラムの幅方向に複数並んで配置され第２の段に巻回される可撓性長尺物が収容される第１の溝を有する。【選択図】図１
2016155627.tif 000002
【特許請求の範囲】
【請求項１】
ドラムに可撓性長尺物を螺旋状に多段に巻回して多段の巻回物を形成する際に、前記巻回物の多段に巻回される段のうちのある第１の段と、前記第１の段の直上の第２の段との間に挿入され、
上面に、前記第２の段に巻回される前記可撓性長尺物の延在方向に沿って延在し前記ドラムの幅方向に複数並んで配置され前記第２の段に巻回される前記可撓性長尺物が収容される第１の溝を有する巻回物の段落ち防止部材。
【請求項２】
さらに、前記上面と反対側の下面に、前記第１の段に巻回される前記可撓性長尺物の延在方向に沿って延在し前記ドラムの幅方向に複数並んで配置され前記第１の段に巻回される前記可撓性長尺物が収容される第２の溝を有し、
前記第１の溝の延在方向と前記第２の溝の延在方向とが互いに交差している請求項１に記載の巻回物の段落ち防止部材。
【請求項３】
さらに、前記可撓性長尺物が前記第１の段から前記第２の段へと移行する部分に対応する領域に、切欠きを有する請求項１または２に記載の巻回物の段落ち防止部材。
【請求項４】
前記巻回物を形成する際に、前記巻回物の前記第２の段と、前記第２の段の直上の第３の段との間に挿入され、
上面に、前記第３の段に巻回される前記可撓性長尺物の延在方向に沿って延在し前記ドラムの幅方向に複数並んで配置され前記第３の段に巻回される前記可撓性長尺物が収容される第３の溝を有する他の段落ち防止部材
と組み合わされて用いられ、
前記第１の溝の延在方向と前記第３の溝の延在方向とが互いに交差している請求項１〜３のいずれか１項に記載の巻回物の段落ち防止部材。
【請求項５】
可撓性を有するシート状であって、前記巻回物の前記第１の段と前記第２の段との間に、巻回された状態で配置される請求項１〜４のいずれか１項に記載の巻回物の段落ち防止部材。
【請求項６】
前記巻回物の前記第１の段と前記第２の段との間に、前記ドラムの周方向に離散的に複数個配置される請求項１または２に記載の巻回物の段落ち防止部材。
【請求項７】
前記第１の溝は、前記可撓性長尺物の太さよりも幅が細いスリット状の開口を有し、前記開口から前記第１の溝内に前記可撓性長尺物が押し込まれることで、前記可撓性長尺物が前記第１の溝に収容される請求項１に記載の巻回物の段落ち防止部材。
【発明の詳細な説明】
【技術分野】
【０００１】
本発明は、巻回物の段落ち防止部材に関する。
【背景技術】
【０００２】
電線等の可撓性長尺物をドラムに多段に巻回した際、上方の段の可撓性長尺物が下方の段の可撓性長尺物の隙間に入り込む「段落ち」が生じることがある。
【０００３】
段落ちを防止するために、各段の間に布や紙等が挿入される場合がある（例えば特許文献１参照）。しかし、このような方法では段落ちが防げない場合がある。例えば、巻き量が極端に多くなった場合、ドラムが変形し、巻回物の延線時に段落ちが生じ、円滑な延線が行えなくなることがある。
【先行技術文献】
【特許文献】
【０００４】
【特許文献１】特開平７−１７６６６号公報
【発明の概要】
【発明が解決しようとする課題】
【０００５】
本発明の一目的は、巻回物の段落ちを抑制するための新規な技術を提供することである。
【課題を解決するための手段】
【０００６】
本発明の一態様によれば、
ドラムに可撓性長尺物を螺旋状に多段に巻回して多段の巻回物を形成する際に、前記巻回物の多段に巻回される段のうちのある第１の段と、前記第１の段の直上の第２の段との間に挿入され、
上面に、前記第２の段に巻回される前記可撓性長尺物の延在方向に沿って延在し前記ドラムの幅方向に複数並んで配置され前記第２の段に巻回される前記可撓性長尺物が収容される第１の溝を有する巻回物の段落ち防止部材
が提供される。
【発明の効果】
【０００７】
可撓性長尺物を段落ち防止部材の第１の溝に収容しつつ巻回物を形成することができる。このため、可撓性長尺物の位置ずれを抑制でき、段落ちを抑制することができる。
【図面の簡単な説明】
【０００８】
【図１】図１（ａ）は、本発明の第１実施形態による段落ち防止部材を利用して形成された巻回物を示す概略縦断面図であり、図１（ｂ）は、第１実施形態による段落ち防止部材の概略的な厚さ方向断面図である。
【図２】図２（ａ）および図２（ｂ）は、第１実施形態による第１の種類の段落ち防止部材の上面側、下面側の構造を示す概略平面図であり、図２（ｃ）および図２（ｄ）は、第１実施形態による第２の種類の段落ち防止部材の上面側、下面側の構造を示す概略平面図である。
【図３】図３（ａ）および図３（ｂ）は、第１実施形態による段落ち防止部材を利用して形成された巻回物を示す概略横断面図である。
【図４】図４（ａ）および図４（ｂ）は、変形例による第１の種類の段落ち防止部材の上面側、下面側の構造を示す概略平面図であり、図４（ｃ）および図４（ｄ）は、変形例による第２の種類の段落ち防止部材の上面側、下面側の構造を示す概略平面図である。
【図５】図５は、変形例による段落ち防止部材を利用して形成された巻回物を示す概略横断面図である。
【図６】図６（ａ）は、第２実施形態による段落ち防止部材を利用して形成された巻回物を示す概略縦断面図であり、図６（ｂ）は、第２実施形態による段落ち防止部材の概略的な厚さ方向断面図である。
【発明を実施するための形態】
【０００９】
以下、本発明の実施形態による、巻回物の段落ち防止部材（スペーサ）について説明する。まず、第１実施形態による段落ち防止部材について説明する。
【００１０】
図１（ａ）は、ドラム１００の回転軸を通る概略縦断面図であり、第１実施形態による段落ち防止部材３００を利用して形成された巻回物２１０を示す。ドラム１００の胴部１１０の幅方向の両端部に、鍔部１２０が形成されている。両端部の鍔部１２０の間の、胴部１１０の外周上に、可撓性長尺物２００が螺旋状に多段に巻回されて、多段の巻回物２１０が形成されている。
【００１１】
可撓性長尺物２００は、線状の長尺物、例えば電線であり、その太さは例えば１ｃｍ〜４ｃｍ程度である。可撓性長尺物２００の一端部２０１が、鍔部１２０に設けられた固定部１２１に固定されており、可撓性長尺物２００は、一端部２０１を始端としてドラム１００上に巻回されている。
【００１２】
図１（ａ）に示す例では、左端に配置された一端部２０１から右方に進行するように、可撓性長尺物２００が螺旋状に巻回されて、胴部１１０の外周面上に第１段目の段２２１が形成されている。第１段目の段２２１の右端部で、可撓性長尺物２００は第２段目の段２２２の右端部に移行する。第２段目の段２２２の右端部から左方に進行するように、可撓性長尺物２００が螺旋状に巻回されて、第１段目の段２２１上に第２段目の段２２２が形成されている。
【００１３】
同様に、螺旋の進行方向が段ごとに交互に入れ替わるようにして、さらに上方の段２２３等が形成されて、可撓性長尺物２００が多段に巻回された多段の巻回物２１０が形成されている。
【００１４】
上方から（ドラム径方向外側から）見た各段の可撓性長尺物２００の延在方向は、螺旋の進行方向が段ごとに交互に入れ替わることに対応して、隣接する段同士で交差する。例えば、第１段目の段２２１等の奇数段に巻回された可撓性長尺物２００の延在方向が右上向きであるとき、第２段目の段２２２等の偶数段に巻回された可撓性長尺物２００の延在方向は左上向きとなる。なお、ここで、可撓性長尺物２００の延在方向について用いている「右上」や「左上」の「上」とは、視野中での「上」の意味であり、視線の方向について用いている「上方」（ドラム径方向外側）の「上」の意味とは異なっている。
【００１５】
隣接する段間に、それぞれ、可撓性のシート状の段落ち防止部材３００が、巻回された状態で挿入されている。段落ち防止部材３００として、第１の種類の段落ち防止部材３１０と第２の種類の段落ち防止部材３２０の２種類の部材が用いられており、第１の種類の段落ち防止部材３１０と第２の種類の段落ち防止部材３２０とが組み合わされて用いられている。奇数段とその直上の偶数段との間に、第１の種類の段落ち防止部材３１０が配置され、偶数段とその直上の奇数段との間に、第２の種類の段落ち防止部材３２０が配置されるように、段落ち防止部材３１０、３２０が、段間に交互に配置されている。なお、第１の種類の段落ち防止部材３１０と第２の種類の段落ち防止部材３２０とを区別せずに説明する場合には、単に、段落ち防止部材３００と呼ぶことがある。
【００１６】
以下、さらに、図１（ｂ）、図２（ａ）〜図２（ｄ）、図３（ａ）および図３（ｂ）を参照して、第１実施形態による段落ち防止部材３００について説明する。ここでは、上述のように、奇数段部分の可撓性長尺物２００の上方から見た延在方向が右上向きで、偶数段部分の可撓性長尺物２００の上方から見た延在方向が左上向きである場合について例示する。
【００１７】
図１（ｂ）を参照する。図１（ｂ）は、第１実施形態による段落ち防止部材３００の概略的な厚さ方向断面図であり、巻回物２１０の隣接する段間に配置された状態における、可撓性長尺物２００の延在方向と交差する断面を示す。第１の種類の段落ち防止部材３１０と第２の種類の段落ち防止部材３２０とで、断面構造は同様である。
【００１８】
段落ち防止部材３００は、その上面上に配置される段の可撓性長尺物２００を収容する溝３０１を、上面に有する。また、段落ち防止部材３００は、その下面上に配置される段の可撓性長尺物２００を収容する溝３０２を、下面に有する。各溝３０１、３０２の径は、例えば、電線等の可撓性長尺物２００の径と同等〜１．５倍程度とすることが、各溝３０１、３０２に良好に可撓性長尺物２００を収容するために好ましい。
【００１９】
なお、上面側の溝３０１を、第１、第２の段落ち防止部材３１０、３２０について区別する場合には、第１の段落ち防止部材３１０の上面側の溝を溝３１１と呼び、第２の段落ち防止部材３２０の上面側の溝を溝３２１と呼ぶ。また、下面側の溝３０２を、第１、第２の段落ち防止部材３１０、３２０について区別する場合には、第１の段落ち防止部材３１０の下面側の溝を溝３１２と呼び、第２の段落ち防止部材３２０の下面側の溝を溝３２２と呼ぶ。
【００２０】
図２（ａ）〜図２（ｄ）を参照する。図２（ａ）および図２（ｂ）は、第１の種類の段落ち防止部材３１０を示し、図２（ｃ）および図２（ｄ）は、第２の種類の段落ち防止部材３２０を示す概略平面図である。図２（ａ）〜図２（ｄ）は、平面状に展開された状態の段落ち防止部材３１０、３２０を示す。紙面左右方向および上下方向が、それぞれ、巻回物２１０に挿入された状態でのドラム幅方向およびドラム周方向に対応する。
【００２１】
図２（ａ）は、上方から（巻回物２１０に挿入された状態でドラム径方向外側に配置される側から）見た第１の種類の段落ち防止部材３１０における上面側（表側）の構造を示し、図２（ｂ）は、上方から見た第１の種類の段落ち防止部材３１０における下面側（裏側）の構造を示す。図２（ｃ）は、上方から見た第２の種類の段落ち防止部材３２０における上面側（表側）の構造を示し、図２（ｄ）は、上方から見た第２の種類の段落ち防止部材３２０における下面側（裏側）の構造を示す。
【００２２】
図２（ａ）および図２（ｂ）に示すように、第１の段落ち防止部材３１０の上面には、第１の段落ち防止部材３１０の上面上に配置される段（偶数段）に巻回される可撓性長尺物２００の延在方向に沿って延在し、ドラム幅方向に複数並んで配置された溝３１１が形成されている。また、第１の段落ち防止部材３１０の下面には、第１の段落ち防止部材３１０の下面上に配置される段（奇数段）に巻回される可撓性長尺物２００の延在方向に沿って延在し、ドラム幅方向に複数並んで配置された溝３１２が形成されている。可撓性長尺物２００の延在方向が隣接する段同士で交差することに対応して、第１の段落ち防止部材３１０の上面側の溝３１１の延在方向と、下面側の溝３１２の延在方向とが、互いに交差している。
【００２３】
図２（ｃ）および図２（ｄ）に示すように、第２の段落ち防止部材３２０の上面には、第２の段落ち防止部材３２０の上面上に配置される段（奇数段）に巻回される可撓性長尺物２００の延在方向に沿って延在し、ドラム幅方向に複数並んで配置された溝３２１が形成されている。また、第２の段落ち防止部材３２０の下面には、第２の段落ち防止部材３２０の下面上に配置される段（偶数段）に巻回される可撓性長尺物２００の延在方向に沿って延在し、ドラム幅方向に複数並んで配置された溝３２２が形成されている。可撓性長尺物２００の延在方向が隣接する段同士で交差することに対応して、第２の段落ち防止部材３２０の上面側の溝３２１の延在方向と、下面側の溝３２２の延在方向とが、互いに交差している。
【００２４】
可撓性長尺物２００の延在方向が隣接する段同士で交差することに対応して、第１の種類の段落ち防止部材３１０の上面側の溝３１１の延在方向と、第２の種類の段落ち防止部材３２０の上面側の溝３２１の延在方向とが、互いに交差している。また、第１の種類の段落ち防止部材３１０の下面側の溝３１２の延在方向と、第２の種類の段落ち防止部材３２０の下面側の溝３２２の延在方向とが、互いに交差している。
【００２５】
巻回物２１０の隣接する段同士の間に、下方の段から上方の段へと可撓性長尺物２００が移行する段移行部（例えば図３（ａ）に示す段移行部２３０）が存在する。段移行部は、ドラム幅方向の両端部に、段ごとに交互に配置される。
【００２６】
段落ち防止部材３１０、３２０の、段移行部に対応する領域に、段移行部の可撓性長尺物２００が通過できるよう、それぞれ、切欠き（逃げ部）３１３、３２３が形成されている。段移行部がドラム幅方向の両端部に交互に配置されることに対応して、第１の段落ち防止部材３１０の切欠き３１３と、第２の段落ち防止部材３２０の切欠き３２３とは、ドラム幅方向（紙面左右方向）の配置が、互いに逆となっている。
【００２７】
ドラム周方向についての巻回の始端側（巻始め側）を、巻回上流側と呼び、その反対側を巻回下流側と呼ぶこととする。図２（ａ）〜図２（ｄ）に示す例では、切欠き３１３、３２３は、段落ち防止部材３１０、３２０の、巻回上流側の隅部に設けられている。
【００２８】
図３（ａ）および図３（ｂ）は、ドラム１００の回転軸に垂直な概略横断面図であり、第１実施形態による段落ち防止部材３００を利用して形成された巻回物２１０を示す。図３（ａ）は、（図１（ａ）における）ドラム幅方向の右端部を示し、図３（ｂ）は、ドラム幅方向の中間部を示す。図３（ａ）および図３（ｂ）には、特に、第１段目の段２２１、第２段目の段２２２、および、第１段目の段２２１と第２段目の段２２２との間に配置された段落ち防止部材３００（３１０）を例示する。
【００２９】
図３（ａ）に示すように、ドラム幅方向の右端部では、可撓性長尺物２００が、第１段目の段２２１から第２段目の段２２２へと移行する段移行部２３０が形成される。本例では、第１段目の段２２１が巻き終わり、巻回部分が段移行部２３０に差し掛かるタイミングで、切欠き３１３が段移行部２３０に配置されるように、第１段目の段２２１上に段落ち防止部材３１０が載置される。そして、第２段目の段２２２の可撓性長尺物２００に巻き込まれるようにして、段落ち防止部材３１０が、第１段目の段２２１と第２段目の段２２２との間に巻回された状態で挿入される。
【００３０】
図３（ｂ）に示すように、ドラム幅方向の中間部では、巻回された段落ち防止部材３１０の、（切欠き３１３の設けられていない部分の）巻回上流側端部３１４と、巻回下流側端部３１５とが、近接して配置されている。なお、巻回上流側端部３１４と巻回下流側端部３１５とは、接していてもよいし、離れていてもよい。
【００３１】
さらに上方の段間に配置される他の段落ち防止部材３００も、それぞれ同様に、巻回される可撓性長尺物２００に巻き込まれるようにして、段間に巻回された状態で挿入される。第１、第２の種類の段落ち防止部材３１０、３２０は、段間に交互に配置される。
【００３２】
なお、上方（ドラム径方向外側）の段ほど、周方向の長さは長くなる。このため、同じ長さの段落ち防止部材３００を用いる場合、上方の段間に配置される段落ち防止部材３００ほど、巻回上流側端部と巻回下流側端部との間隙は広くなる。
【００３３】
段落ち防止部材３００は、段間に巻回された状態で挿入できるように、可撓性を有する材料で形成されていることが好ましい。また、電線等の可撓性長尺物２００を傷つけないように、ある程度柔らかい材料で形成されていることが好ましい。このような材料としては、例えば、ゴムや樹脂等を挙げることができる。なお、電線等の可撓性長尺物２００の単位長さ当たり重量に耐えられるような強度を持つ材料を選択することが好ましい。
【００３４】
なお、段落ち防止部材３００には、軽量化するために、適当な大きさや密度で孔を設けてもよい。
【００３５】
第１実施形態による段落ち防止部材３００を用いることで、例えば以下のような効果を得ることができる。
【００３６】
ドラム１００に可撓性長尺物２００を巻回する際に、第１実施形態による段落ち防止部材３００を用いることで、各段の可撓性長尺物２００を上面上の溝３０１に収容しつつ、巻回物２１０を形成することができる。このため、各段の可撓性長尺物２００の位置ずれを抑制でき（可撓性長尺物２００同士の位置関係を保つことができ）、例えば巻回物２１０の延線時における段落ちを効果的に抑制することができる。
【００３７】
第１実施形態による段落ち防止部材３００を用いることで、さらに、各段の可撓性長尺物２００を、下面上の溝３０２にも収容しつつ、巻回物２１０を形成することができる。このため、各段の可撓性長尺物２００の位置ずれをさらに抑制でき、段落ちをさらに効果的に抑制することができる。
【００３８】
次に、第１実施形態の変形例による段落ち防止部材について説明する。なお、第１実施形態と対応する部材や構造については、説明の煩雑さを避けるため、同じ参照番号を流用する。
【００３９】
図４（ａ）〜図４（ｄ）は、変形例による段落ち防止部材３００を示す概略平面図であり、それぞれ、第１実施形態による段落ち防止部材３００を示す概略平面図２（ａ）〜図２（ｄ）に対応する。図４（ａ）、図４（ｂ）は、第１の種類の段落ち防止部材３１０の上面側、下面側の構造を示し、図４（ｃ）、図４（ｄ）は、第２の種類の段落ち防止部材３２０の上面側、下面側の構造を示す。
【００４０】
第１実施形態と同様に、段落ち防止部材３１０、３２０の上面、下面に、溝３１１、３１２、３２１、３２２が形成されている。第１実施形態では、段落ち防止部材３１０、３２０が、ドラム周方向に延在するシート状である場合について例示した。変形例では、段落ち防止部材３１０、３２０が、第１実施形態よりも短いドラム周方向の長さを有し、ブロック状となっていることが、第１実施形態と異なる。また、切欠き３１３、３２３が形成されていないことが、第１実施形態と異なる。
【００４１】
図５は、ドラム１００の回転軸に垂直な概略横断面図であり、変形例による段落ち防止部材３００（３１０、３２０）を利用して形成された巻回物２１０を示し、ドラム幅方向の中間部を示す。
【００４２】
隣接する段間に交互に、段落ち防止部材３１０、３２０が挿入されていることは、第１実施形態と同様である。変形例では、ブロック状の段落ち防止部材３１０、３２０が、ドラム周方向に離散的に複数個配置されていることが、第１実施形態と異なる。
【００４３】
変形例では、段落ち防止部材３１０、３２０をブロック状としたので、ドラム周方向に適度に間隔を開けて、各段落ち防止部材３１０、３２０を配置することができる。このため、可撓性長尺物２００の段移行部を通過させるような切欠きを、各々の段落ち防止部材３１０、３２０に設けなくともよい。また、巻回物２１０に挿入される段落ち防止部材３１０、３２０の総重量を軽量化しやすくなる。
【００４４】
段落ち防止部材３１０、３２０のドラム周方向の配置個数、配置間隔等は、必要に応じて適宜選択することができる。図５では、一例として、段落ち防止部材３１０、３２０のドラム周方向の配置を交互とした態様を示している。
【００４５】
変形例による段落ち防止部材３００によっても、第１実施形態による段落ち防止部材３００と同様な効果が得られる。つまり、延線時等の段落ちを効果的に抑制することができる。
【００４６】
変形例による段落ち防止部材３００の材料としても、第１実施形態と同様に、例えば、ゴムや樹脂等を用いることができる。ただし、変形例の段落ち防止部材３００は、段間に挿入する際、ドラム周方向に長く巻回する必要がない。そのため、変形例の方が、段落ち防止部材３００に用いる材料として、第１実施形態の材料と比べて例えば可撓性に劣るものでも用いることができる等、材料選択の自由度が高くなる。
【００４７】
また、変形例による段落ち防止部材３００は、第１実施形態による段落ち防止部材３００と比べて小さくすることができ、また構造も簡単であるので、成形が容易となる。
【００４８】
次に、第２実施形態による段落ち防止部材について説明する。なお、第１実施形態と対応する部材や構造については、説明の煩雑さを避けるため、同じ参照番号を流用する。
【００４９】
図６（ａ）は、第２実施形態による段落ち防止部材３００を利用して形成された巻回物２１０を示す概略縦断面図であり、第１実施形態による段落ち防止部材３００を利用して形成された巻回物２１０を示す概略縦断面図１（ａ）に対応する。図６（ｂ）は、第２実施形態による段落ち防止部材３００の概略的な厚さ方向断面図であり、第１実施形態による段落ち防止部材３００の概略的な厚さ方向断面図１（ｂ）に対応する。
【００５０】
第１実施形態では、段落ち防止部材３００の上面に、可撓性長尺物２００の直径よりも浅く開口の狭まっていない溝３０１を形成して、可撓性長尺物２００を収容する構造について例示した。また、段落ち防止部材３００の下面にも溝３０２を形成して、下段側の可撓性長尺物２００も収容する構造について例示した。
【００５１】
第２実施形態では、段落ち防止部材３００の上面に、可撓性長尺物２００の直径よりも深く開口の狭まった溝３０１（３１１、３２１）を形成して、可撓性長尺物２００を収容する構造としている。また、段落ち防止部材３００の下面には、下段側の可撓性長尺物２００を収容する溝を形成していない。
【００５２】
収容する段の可撓性長尺物２００の延在方向に応じて、溝３１１、３２１の延在方向が交差する２種類の段落ち防止部材３１０、３２０を用いることは、第１実施形態と同様である。溝３１１、３２１の延在方向は、それぞれ、第１実施形態について図２（ａ）および図２（ｃ）を参照して説明した延在方向と同様である。
【００５３】
第２実施形態による段落ち防止部材３００では、溝３０１の開口３０３が、可撓性長尺物２００の太さよりも幅が細いスリット状となっている。そして、可撓性長尺物２００の巻回時、段間に段落ち防止部材３００を挿入する際に、段落ち防止部材３００の上面側に配置される段の可撓性長尺物２００が、開口３０３から溝３０１内に押し込まれることで、可撓性長尺物２００が溝３０１に収容される。また、巻回物２１０の延線時には、溝３０１に収容された可撓性長尺物２００が、開口３０３から引き出されることで、可撓性長尺物２００が延線される。
【００５４】
なお、第２実施形態では、段落ち防止部材３００の溝３０１内に可撓性長尺物２００の全厚さ部分を収容しているが、段落ち防止部材３００の溝３０１より下方部分は、収容された段と下方側の段との間に配置されている。つまり、段落ち防止部材３００は、下方側の段と収容された段との間に挿入されていると捉えることができる。
【００５５】
第２実施形態による段落ち防止部材３００の材料としても、第１実施形態と同様に、例えば、ゴムや樹脂等を用いることができる。ただし、開口３０３を構成する縁部が、巻回時や延線時に変形するので、弾性変形が容易な材料を用いることが好ましい。
【００５６】
第２実施形態による段落ち防止部材３００によっても、第１実施形態による段落ち防止部材３００と同様な効果が得られる。つまり、上面の溝３０１によって、各段の可撓性長尺物２００の位置ずれを抑制でき、延線時等の段落ちを効果的に抑制することができる。
【００５７】
第２実施形態による段落ち防止部材３００では、下面の溝３０２は設けられていないものの、細いスリット状の開口３０３の奥に配置された溝３０１に、可撓性長尺物２００が収容される。このため、可撓性長尺物２００の位置ずれをより確実に抑制でき、段落ちをより効果的に抑制することができる。
【００５８】
以上、実施形態および変形例に沿って本発明を説明したが、本発明の実施形態はこれらに制限されるものではない。例えば、種々の変更、改良、組み合わせ等が可能なことは当業者に自明であろう。
【００５９】
＜本発明の好ましい態様＞
以下、本発明の好ましい態様について付記する。
【００６０】
（付記１）
ドラムに可撓性長尺物を螺旋状に多段に巻回して多段の巻回物を形成する際に、前記巻回物の多段に巻回される段のうちのある第１の段と、前記第１の段の直上の第２の段との間に挿入され、
上面に、前記第２の段に巻回される前記可撓性長尺物の延在方向に沿って延在し前記ドラムの幅方向に複数並んで配置され前記第２の段に巻回される前記可撓性長尺物が収容される第１の溝を有する巻回物の段落ち防止部材。
【００６１】
（付記２）
さらに、前記上面と反対側の下面に、前記第１の段に巻回される前記可撓性長尺物の延在方向に沿って延在し前記ドラムの幅方向に複数並んで配置され前記第１の段に巻回される前記可撓性長尺物が収容される第２の溝を有し、
前記第１の溝の延在方向と前記第２の溝の延在方向とが互いに交差している付記１に記載の巻回物の段落ち防止部材。
【００６２】
（付記３）
さらに、前記可撓性長尺物が前記第１の段から前記第２の段へと移行する部分に対応する領域に、切欠きを有する付記１または２に記載の巻回物の段落ち防止部材。
【００６３】
（付記４）
前記巻回物を形成する際に、前記巻回物の前記第２の段と、前記第２の段の直上の第３の段との間に挿入され、
上面に、前記第３の段に巻回される前記可撓性長尺物の延在方向に沿って延在し前記ドラムの幅方向に複数並んで配置され前記第３の段に巻回される前記可撓性長尺物が収容される第３の溝を有する他の段落ち防止部材
と組み合わされて用いられ、
前記第１の溝の延在方向と前記第３の溝の延在方向とが互いに交差している付記１〜３のいずれか１つに記載の巻回物の段落ち防止部材。
【００６４】
（付記５）
前記他の段落ち防止部材は、
さらに、前記上面と反対側の下面に、前記第２の段に巻回される前記可撓性長尺物の延在方向に沿って延在し前記ドラムの幅方向に複数並んで配置され前記第２の段に巻回される前記可撓性長尺物が収容される第４の溝を有し、
前記第３の溝の延在方向と前記第４の溝の延在方向とが互いに交差している付記４に記載の巻回物の段落ち防止部材。
【００６５】
（付記６）
前記巻回物を形成する際に、前記巻回物の前記第２の段と、前記第２の段の直上の第３の段との間に挿入され、
上面に、前記第３の段に巻回される前記可撓性長尺物の延在方向に沿って延在し前記ドラムの幅方向に複数並んで配置され前記第３の段に巻回される前記可撓性長尺物が収容される第３の溝を有し、
前記可撓性長尺物が前記第２の段から前記第３の段へと移行する部分に対応する領域に、切欠きを有する他の段落ち防止部材
と組み合わされて用いられ、
前記第１の溝の延在方向と前記第３の溝の延在方向とが互いに交差しており、
前記段落ち防止部材に形成された切欠きと前記他の段落ち防止部材に形成された切欠きとが、前記ドラムの幅方向について互いに逆に配置されている付記３に記載の巻回物の段落ち防止部材。
【００６６】
（付記７）
可撓性を有するシート状であって、前記巻回物の前記第１の段と前記第２の段との間に、巻回された状態で配置される付記１〜６のいずれか１つに記載の巻回物の段落ち防止部材。
【００６７】
（付記８）
前記巻回物の前記第１の段と前記第２の段との間に、前記ドラムの周方向に離散的に複数個配置される付記１または２に記載の巻回物の段落ち防止部材。
【００６８】
（付記９）
前記第１の溝は、前記可撓性長尺物の太さよりも幅が細いスリット状の開口を有し、前記開口から前記第１の溝内に前記可撓性長尺物が押し込まれることで、前記可撓性長尺物が前記第１の溝に収容される付記１に記載の巻回物の段落ち防止部材。
【００６９】
（付記１０）
ドラムに可撓性長尺物が螺旋状に多段に巻回されて形成された多段の巻回物であって、
前記巻回物の段のうちのある第１の段と、前記第１の段の直上の第２の段との間に、
前記第２の段に巻回された前記可撓性長尺物の延在方向に沿って延在し前記ドラムの幅方向に複数並んで配置され前記第２の段に巻回された前記可撓性長尺物が収容された溝を有する段落ち防止部材が挿入された、巻回物。
【符号の説明】
【００７０】
１００  ドラム
１１０  （ドラムの）胴部
１２０  （ドラムの）鍔部
２００  可撓性長尺物
２１０  巻回物
２２１、２２２、２２３  段
２３０  段移行部
３００  段落ち防止部材
３１０  第１の種類の段落ち防止部材
３２０  第２の種類の段落ち防止部材
３０１、３０２、３１１、３１２、３２１、３２２  溝
３０３  開口
３１３、３２３  切欠き
【図１】
2016155627.tif 000003
【図２】
2016155627.tif 000004
【図３】
2016155627.tif 000005
【図４】
2016155627.tif 000006
【図５】
2016155627.tif 000007
【図６】
2016155627.tif 000008